(57)【要約】      （修正有）【課題】効率的なファインバブル水の生産方法を開発し、ウルトラファインバブル製造方法及びその装置の提供。【解決手段】１次ポンプ５と、２次ポンプ１４の２台のポンプを装備し、２台のポンプはマイクロバブルを噴出する共鳴エジェクター１０及び共鳴発泡装置１２を挟み、１次ポンプ、共鳴エジェクター及び共鳴発泡装置から吐出する水量は真空を発生させるために共鳴エジェクターで吐出水量を抑制し、共鳴エジェクターから吐出する水量より２次ポンプの吸引水量が大きく、２次ポンプの吸引力の強さにより１次ポンプ、共鳴エジェクター及び共鳴発泡装置で生成したマイクロバブルの噴出以後の水系全体に真空を創出し、真空の発生で生産したマイクロバブルを数倍乃至数十倍に膨張させ、２次ポンプの羽根車とケーシングの真空とキャビテーションにより気泡を更に微細に破砕する真空キャビテーションによるウルトラファインバブル製造方法。【選択図】図１
2016215203.tif 000002
【特許請求の範囲】
【請求項１】
マイクロバブル発生器で一度マイクロバブルを形成して噴出し、
そのマイクロバブル水の噴出量より大きな吸引処理量を有するポンプで吸引し、
ポンプの吸引力で真空を発生させ、
真空でマイクロバブルを数倍乃至数十倍に膨張させ、
膨張した気泡をポンプの羽根車とケーシングで真空キャビテーションを起こして破砕し、
マイクロバブルを更に微細なウルトラファインバブルへ複数回にわたり破砕することを特徴とする真空キャビテーションによるウルトラファインバブル製造方法。
【請求項２】
請求項１において１次ポンプと、２次ポンプの２台のポンプを装備し、
２台のポンプはマイクロバブルを噴出する共鳴エジェクター及び共鳴発泡装置を挟み、
１次ポンプ、共鳴エジェクター及び共鳴発泡装置から吐出する水量は真空を発生させるために共鳴エジェクターで吐出水量を抑制し、
共鳴エジェクターから吐出する水量より２次ポンプの吸引水量が大きく、
２次ポンプの吸引力の強さにより１次ポンプ、共鳴エジェクター及び共鳴発泡装置で生成したマイクロバブルの噴出以後の水系全体に真空を創出し、
真空の発生で生産したマイクロバブルを数倍乃至数十倍に膨張させ、
２次ポンプの羽根車とケーシングの真空とキャビテーションにより気泡を更に微細に破砕することを特徴とする真空キャビテーションによるウルトラファインバブル製造方法。
【発明の詳細な説明】
【技術分野】
【０００１】  本発明は、真空キャビテーションによるウルトラファインバブル製造方法に関する。
【背景技術】
【０００２】  マイクロバブル・ナノバブルに関する研究は、ここ２０〜２５年前に始まったばかりであり、名古屋万博で紹介された産総研の高橋正好氏の海水棲息の鯛と淡水棲息の鯉が同一の水槽内で棲息することが可能な実証事例等から、マイクロバブルに関する関心が世界的に広がった。
当出願者もほぼ同時期に、水素によるマイクロバブルの研究を行い、還元性水素水の特許を世界的にも最初に認定された。
「平成２４年度マイクロバブル・ナノバブルの国際標準化推進事業発表会  成果報告書」では、マイクロバブル・ナノバブルを気泡の大きさから、暫定的に０．８〜１ｍｍ以上をバブル、これ以下で０．０５〜０．１ｍｍ以上をサブミリバブル、またサブミリバブル以下で２０μｍ〜１μｍ以上をマイクロバブル、更に２０μｍ〜１μｍ以下をウルトラファインバブルと称すると取り決めを行っている。
マイクロバブルの生産方法には、エジェクターによる簡易な方法から、ベンチュリー管法、ＳＰＧ膜通過法、加圧減圧法、超音波振動法、気液旋回二相法、キャビテーション法（スクリュー背面のキャビテーションを含む）等多くの方法がある。
このうち加圧減圧法、超音波振動法、気液旋回二相法、キャビテーション法は、ナノサイズの気泡ウルトラファインバブルを生成すると考えられている。
空気、酸素によるナノバブルは、生体の成長を促進するので、作物の栽培、栽培漁業、養鶏、養豚、牛の肥育等で、生体の成長促進が行われ、短時日のうちに加齢が進み大きくなるのが早いので、飼料の供給が少なくて済み、経済効果が大ききことが判明している。
また、酸化条件のウルトラファインバブルは、水系の酸素濃度を高めるので、有用生物の繁殖により水系の浄化が極めて早く進行する。
ウルトラファインバブル水素水は、生体内で抗酸化性の機能を有し、アンチエイジングや生活習慣病の予防、ガンの予防に効果があることが知られる。
最近の研究では、ガンの治療にも効果があることも判明し、水素水、活性水素水、ウルトラファインバブル水素水として水素を含む水の販売が行われている。
また、当出願者の研究では、水素のマイクロバブル生成に磁化処理を併用すると抗酸化性水素ラジカルを生成することを確認している。
現在では、マイクロバブルに関する特許と水素水に関する特許は多数出願されている。
その中で酸化と還元に係る微細気泡の製造方法について代表的なオリジナルの特許文献を選び、本出願との相違点を記載する。【０００３】特許文献１は、マイクロバブルの製造方法の最初の発明で、発明の名称は「旋回式微細気泡発生装置」である。
概要は円錐形又は徳利型のスペースを有する容器本体と、同スペースの内壁円周面の一部にその接線方向に開設された液体導入口と、前記スペース底部に開設された気体導入孔と、前記スペースの頂部に開設された旋回気液導出口から構成する。
本出願は、真空キャビテーションにより微細気泡を発生するものであり、微細気泡生産方法が基本的に相違する。【０００４】特許文献２は、超音波により微細気泡を発生させるものであり、発明の名称は「ナノバブルの製造方法」である。淡水魚と海水魚が同一水槽で生育できるなど、微細気泡の物理化学的特性について革新的知見をもたらせたものである。
本出願は、真空キャビテーションによりウルトラファインバブルを発生するものであり、微細気泡生産方法が基本的に相違する。【０００５】特許文献３は、超音波により酸素の微細気泡を発生させるものであり、発明の名称は「酸素ナノバブル及びその製造方法」である。本出願は、真空キャビテーションによりウルトラファインバブルを発生するものであり、微細気泡生産方法が基本的に相違する。【０００６】特許文献４は、マイクロバブルの製造方法で、発明の名称は「旋回式微細気泡発生装置」である。
概要はキャビテーションエロージョンを防止しつつ、大量の微細気泡を発生することが可能な高効率の旋回式微細気泡発生装置で、円筒状のケーシング内部に形成された気液の旋回可能な空間を有する気液旋回室と、気液旋回室内内へ液体を導入する液体導入口と、ケーシングの一方の端部壁面の中央に配設された気液旋回室内へ気体を導入する気体導入口と、気体導入口と対向するケーシングの端部壁面の中央に配設された気液吐出口とを備え、気液旋回室は液体導入口から導入される液体と気体導入口から導入された気体とを接触させる主旋回部とを備える。本出願は、真空キャビテーションによりウルトラファインバブルを発生するものであり、微細気泡生産方法が基本的に相違する。【０００７】特許文献５は、発明の名称は「微細気泡発生システム」である。ベンチュリー管とポンプのキャビテーション及びオリフィス板による絞りにより微細気泡を発生する装置であり、段落００５４に「気泡分裂部５がオリフィス０を通過するときに気泡が分裂し、微細気泡が分裂する。」段落００５５に「気泡分裂部５がオリフィス０を有していれば、キャビテーションが生じなくても、オリフィス０の貫通孔○○を通過する液体Ｌの圧力変動によって、気泡Ｂが生ずる」と記載されているが、この方法では、気体を破砕することはできるが、共鳴発泡による様な液全体への均一な微細気泡を形成することはできない。また、「ベンチュリー管から送り出される微細気泡を含んだ水を吸引排出する水により減圧条件下で気泡を分裂させる」とあるが、ベンチュリー管はパイプ状であるので減圧により新しい水が送られ、軽い減圧にはなるが真空にはならない。
本出願では共鳴エジェクターが関所になって一定以上の送水がないことにより真空を発生するので特許文献５とは相違する。【０００８】特許文献６は、発明の名称は「微細気泡発生装置」である。ポンプの吸引側に気体吸引口とオリフィスやガイドを設け、破砕した気泡をキャビテーションにより破砕する装置である。
特に、ポンプ作用を発揮する微細気泡発生装置において、羽根車の回転により、キャビテーションが発生し、気泡の微細化が強力に行われることが記載されているが、オリフィスと羽根車のキャビテーションによる微細化だけでは気体の破砕は可能であるが、単純な処理では均一なマイクロバブルの生成は不可能であり、共鳴発泡による液全体への微細気泡の拡がりなど、均一な微細化機能が含まれていない。【０００９】特許文献７は、発明の名称は「微細気泡生成装置」である。ターボファンのインペラによるキャビテーションにより吸引した気体を微細化する簡便な装置である。
この方法では、吸引により次々水が流入するので、真空条件を創出することは困難で、真空キャビテーションはおこらない。この装置においても、共鳴発泡による均一な微細化機能は含まれて居らず、微細化の基本は水の破砕と循環により微細気泡を蓄積することが主眼が置かれている。本発明は真空キャビテーションによるウルトラファインバブルを瞬間に生成して噴出させる技術とは相違する。【００１０】特許文献８は、発明の名称は「水処理装置および水処理方法」である。第１槽で水中ポンプ型マイクロバブル発生部で電気ニードルバルブから空気を送り第１，第２、第３気体剪断部で微細気泡を発生させ、循環ポンプにより第２槽へ送り、第２槽に内蔵する水流発生管で、ブロワーから送られる気体を水中撹拌機で混合循環させる。
この装置では、微細気泡の破砕は剪断方式で行い、気体を挿入する装置は電気ニードルバルブを用いている。本発明の共鳴発泡技術は用いられておらず、用いている電気ニードルバルブも共鳴発泡させる調整用バルブではなく、単なる電磁開閉装置としての機能と考えられる。
また、気泡の２次微細化や真空キャビテーションは含まれていない。【００１１】特許文献９は、発明の名称は「ナノバブル含有液体製造装置及びナノバブル含有液体製造方法」である。ナノバブルを生産するために、４段階の水槽を用い、第１槽は原水の貯留を行い、第１槽から第１移送ポンプで第２槽へ送り、第２槽で小型ブロワーからニードルバルブを通じてマイクロバブル発生器へ空気を送り、バブル液流を生成する。第２槽のオーバーフロー液は第３槽へ送られ、水をポンプでマイクロナノバブル発生器を循環通過させマイクロ・ナノバブルを生成する。第３槽のマイクロ・ナノバブルは第４槽へ送られ、同様に水をポンプでナノバブル発生器を循環通過させナノバブルを生成する規模の大きな装置である。
発想は本出願と同様、多段階の処理でナノバブルの発生を目指すが、液体保持容器を有するので重厚な装置となっており、液体保持容器からポンプで溶液を吸い出す際、容器が大きいこと、液体供給装置とマイクロバブル生成装置から液の供給があることから、減圧は可能であるが減圧の程度が低いので本出願と相違する。また簡単に移動させることは不可能である。
本出願は、軽量で移動が可能で効率的な装置であり、共鳴発泡装置と真空キャビテーションによるウルトラファインバブルを生産する技術であるので発想が基本的に相違している。【００１２】特許文献１０は、発明の名称は「飲料用水、飲料用水の利用方法、飲料用水の生成方法、及び、飲料用水生成装置」である。水を外部から供給し、パイプ内で気体と混合し、ベンチュリー管機能で微細気泡と成し、圧力変化、温度変化、衝撃は、超音波といった外力を用いて水中の気泡を崩壊させることによって液体中に気体がナノサイズの気泡する技術である。
用いる気体はオゾン、塩素、二酸化塩素、水素、二酸化炭素、酸素、窒素アルゴン等である。
本発明の真空キャビテーション技術とは全く相違している。【００１３】特許文献１１は、発明の名称は「マイクロバブル生成方法及びマイクロバブル生成装置」である。循環型マイクロバブル生産装置である。任意の目的に使用するマイクロバブル貯留水槽５からポンプ７で水を吸引し、通水制御弁の開閉によって水の流路を変更し、基本的には、アスピレーター機能を有するマイクロバブル生成装置で微細気泡を生産し、液体保持容器２へ導き、マイクロバブルを一旦貯留し、流水方向は通水制御弁の開閉によって貯留水槽５と液体保持容器２の間を循環させてマイクロバブルの濃縮蓄積を図る技術である。その中で本出願と近い構造は、液体保持容器２から貯留水槽５へ環水する途中で液体保持容器２と２次ポンプ２２を有する構造である。
しかし、その目的は水の補給と処理装置内の溶液の循環を行うもので、ポンプの作動により液体保持容器２とから溶液の補充が起こり、結果的にポンプの機能も処理系内に減圧を発生する機能はなく、気泡を真空で膨張させるために真空を発生する必要性を発想してはいない。
即ち、本発明では、共鳴エジェクターが流路の関所になって一定以上の溶液の移動が起こらないので真空が発生する。真空キャビテーションによるウルトラファインバブル生産技術とは基本的に相違する。【００１４】
【特許文献１】特許公開２０００−４４７
【特許文献２】特許公開２００５−２４５８１７
【特許文献３】特許公開２００５−２４６２９４
【特許文献４】特許公開２００６−１４２３００
【特許文献５】特許公開２００７−２０９９５３
【特許文献６】特許公開２００８−１４２５９２
【特許文献７】特許公開２００９−０３９６００
【特許文献８】特許公開２００９−１９５８８７
【特許文献９】特許公開２０１０−０８９０５５
【特許文献１０】特許公開２０１１−０６２６６９
【特許文献１１】特許公開２０１１−０７８８５８
【発明が解決しようとする課題】
【００１５】  現在普及されているマイクロバブルの生成方法には、気液混合液の剪断を行う方法が主流を占めており、気泡のサイズが大小様々である。
また、気泡のサイズを１μｍ以下にする目的で、マイクロバブル貯留タンクからポンプを用いて吸い出し減圧条件でキャビテーションを試みる技術もあるが、貯留タンクへは次々とマイクロバブルが供給され、これをコントロールする手段を用いていないので、軽い減圧条件でのキャビテーションより、マイクロバブルを生成するので循環方式を採用している。
他の多くのナノバブル生成技術では、１度の処理では不十分であるので、ナノバブルを蓄えるために貯留タンク処理液を再度循環処理させてナノバブルを貯留する方法が採られている。
また、現在普及されているナノバブル発生装置は、いずれも原理的に出力が小さく、処理能力も毎分１トン以下である。このように、ウルトラファインバブルを大量に直接噴出する技術がないのが現状で課題である。
この課題を解決するため、本出願では、共鳴発泡と真空キャビテーションにより、１度の処理で大量のウルトラファインバブルを大量に噴出させる、共鳴エジェクター及び共鳴発泡装置を挟んで、真空を創出する１次ポンプと２次ポンプの２台のポンプを設置した。
１次ポンプで水を吸引噴出し、共鳴エジェクターで気液混合液し共鳴発泡装置で共鳴発泡させ、粒度の揃ったマイクロバブルを生成する。共鳴エジェクターは一定の水量の吐出量であるので、これより大量の水の吸引力のある２次ポンプを用いて引力すれば真空を生ずる。
生成されたマイクロバブルは発生した真空と２次ポンプのキャビテーションによりウルトラファインバブルを瞬時に噴出することを可能とした。
【課題を解決するための手段】
【００１６】  大量の超微細なウルトラファインバブル水を生産するには、共鳴発泡と真空キャビテーションによる微細気泡の生成が必要である。
共鳴発泡は、１次ポンプからの水を共鳴エジェクターへ送り、気体を吸入混合し、真空計とニードルバルブで、減圧条件を調整しながら、共鳴発泡装置内に気液混合物を共鳴させて発泡させる。
共鳴発泡とは、共鳴エジェクターから混合噴射した気液混合水が、共鳴エジェクターに付設しているニードルバルブを絞り、吸気側に減圧を生じ、吸気する際に音波が発生し、共鳴発泡装置内で共鳴が起こると、気液混合水が瞬間的に共鳴白濁して、マイクロバブルを発生させる現象で、マイクロバブルを生産する上で極めて効率的な方法である。
ウルトラファインバブルは、一度マイクロバブルを発生させて噴射し、その噴射の際に強力な吸引力を有する水流ポンプで吸引すれば、真空が発生してマイクロバブルが膨張し、これを羽根車とケーシングで更に細かく破砕して発生させ、無色透明な水を得ることができる。
超微細なウルトラファインバブルの生成には、複数回の真空キャビテーションを繰り返すほど、微細化の程度が変換される。
図１に示す通り、真空キャビテーションは、１次ポンプと２次ポンプの２台の水流ポンプを用い、２次ポンプの性能は、１次ポンプの性能より大きな処理能力のポンプを選び真空を発生させる。２次ポンプが１次ポンプと同等であった場合でも、１次ポンプにはエジェクターによる流水の堰き止め効果が働き、２次ポンプの性能より低下するので、減圧効果で真空が発生する。
１次ポンプからの水をエジェクターで１次微細気泡を生成し、２次ポンプへ送る。２次ポンプでは、真空キャビテーションが起こり、１次微細気泡を破砕して２次微細気泡が発生する。
ウルトラファインバブル発生の原理は、共鳴エジェクターで生成された１次微細気泡が真空下で２次ポンプへ送られた段階で、１次微細気泡が数倍乃至数十倍の大きさに膨張拡大する。
数十倍の大きさに膨張した微細気泡をポンプの高速回転による羽根車とケーシングによって真空下でキャビテーションを行い、さらに細かく破砕する。
破砕された２次微細気泡は、共鳴エジェクターにより１０μｍ〜５００μｍになった気泡を更に破砕するので、全ての微細気泡が１μｍ以下の目に見えないサイズになり無色透明化する。
実験では、容積比７％の空気を水に混和させても、無色透明化するのは、気泡が細かすぎて、チンダル現象の光散乱を起こさないからである。
【００１７】＜共鳴発泡と真空キャビテーションによる空気のウルトラファインバブル水の製造＞
空気のウルトラファインバブル水の製造方法は、図１に示す装置で行う。
水源１、吸水パイプ２、電源ソケット３、電源リード線４から水と電力を供給し、吸気口７から空気を供給し、共鳴エジェクター１０で１次微細気泡を発生する。発生した１次微細気泡は、２次ポンプ１４で真空キャビテーションを行い、２次微細気泡のウルトラファインバブル水を生成する。
空気のウルトラファインバブル水製造装置の操作
（１）水源１から水を吸水パイプ２を通じて吸い込み、１次ポンプ５で吸水作動する。
（２）１次ポンプ５で吸水作動した水は共鳴エジェクター１０へ送る。
（３）空気は、吸気口７から吸入し、低圧フローガス流量計８を通過して共鳴エジェクター１０へ送る。
（４）水は共鳴エジェクター１０内で噴射し、噴出水流で空気が混入され、吸気側が減圧され、鳴調整真空計１１が作動する。
（５）共鳴エジェクター１０では、吸気口８から取り入れた空気は、低圧フローガス流量計８と鳴調整真空計１１で流量、減圧を確かめながら、共鳴調整用ニードルバルブ９で調整し、共鳴発泡装置１２内で１次微細気泡の共鳴発生に適した共鳴減圧に設定する。
（６）共鳴発泡装置１２内で共鳴発生した微細気泡を含む水は導水パイプ１３で２次ポンプ１４へ送る。
（７）２次ポンプ１４では、１次ポンプ５より排水処理能力を高く設定しているので、減圧状態になる。共鳴エジェクター以後の水系に架かる減圧の強さは真空計１１に示される。
（８）２次ポンプ１４では、共鳴発泡装置１２内で発生した１次微細気泡が減圧状態で膨張し、さらに共鳴発泡装置１２の吐出力と２次ポンプ１４の吸引力の差により、２次ポンプ１４内に水の蒸気圧（２０〜３０℃で約３０ｔｏｒｒ）に相当する真空に近い減圧部位を生じ、微細気泡が数十倍に膨張し、真空キャビテーションにより破砕される。
すなわち、水の蒸気圧下の真空キャビテーションでナノサイズの微細気泡が生ずる。
（９）２次ポンプ１４から送り出されたナノサイズの２次微細気泡は、通路を狭めた加圧装置１６で加圧される。これにより微細気泡は更に収縮し、ウルトラファインバブルとなって白濁しない透明な水になる。
（１０）生成ウルトラファインバブル水は、空気ウルトラファインバブル水貯留タンク１９へ貯留するか配水パイプで分配々水を行う。
（１１）装置は装置支持フレーム１７に搭載され、キャスター１８で移動が可能である。
（１２）生成された空気のウルトラファインバブル水は、酸化性ラジカルを発生する。
実施例
【００１８】実施例１  空気の破砕処理、共鳴発泡及び真空キャビテーションによる微細気泡処理の相違が溶液への気体溶存率と溶液の白濁状況に及ぼす影響
実験のねらい
従来多くの微細気泡生成に関する研究は、気体と液体を混入させて気泡を剪断、微細気泡が発生することを基本にこれをくりかえし、どのような方法で剪断すると効率的であるかを重点に、剪断発泡技術が開発されてきた。
本発明では気泡の発生は減圧と加圧の加減による共鳴が剪断と合わせ均一な気体の発泡を促すこと、一度発泡した気泡を真空にすることによって気泡が膨張し、これを真空キャビテーションで破砕することにより、気泡が一段と微細な気泡に変化する共鳴発泡と真空キャビテーションが効率的であることを観察し、これを実証する。
１）試験の方法
（１）アスピレターによる剪断破砕、
（２）減圧共鳴発泡、
（３）減圧共鳴発泡と真空キャビテーションによる２重破砕
について比較試験を行い、水の気体溶存状況の比較を行った。
２）装置の概要：図２，図３、図４に示した。
装置は、水道水の蛇口を、本発明の１次ポンプの機能に見立てて採用し、アスピレターによる剪断破砕、減圧共鳴発泡、減圧共鳴発泡と真空キャビテーションによる２重破砕を行った。真空キャビテーションによる２重破砕に用いるポンプは本発明の２次ポンプに相当する。
図２は、アスピレター送気装置による剪断破砕方法を示した。剪断破砕は、水をアスピレーターよる気液旋回破砕によって気泡を破砕するもので、装置はアスピレーターと水気分離装置を備えている。アスピレターの原理で水道からの水の噴出によって吸気口から空気を吸入して、水気分離装置で大きな気泡となり、水圧加圧装置で送気するシステムである。
この水の噴出によって吸気口から空気を吸入噴射する際、噴射部Ａで気体の剪断が起こり大小の微細気泡が排水口から流出する。すなわち、キャビテーションと共に微細気泡を製造する際の気体の剪断方法の一つである。高速撹拌装置のキャビテーションによる気液剪断破砕によっても同様の微細気泡を生ずる。
剪断破砕は多くのマイクロバブルの製造に用いられている。この場合気泡のサイズが大小不揃いになるので、水を破砕装置内を繰り返し通過循環させ、微細気泡の集積を図る方法が採用されている。
図３は、アスピレター送気装置による減圧共鳴発泡方法を示した。減圧共鳴発泡はこの装置の吸引部にニードルバルブと真空計を取り付け、吸気を減圧することによって水気分離装置が共鳴装置の役割を獲得して、噴出水量と減圧給気と水圧加圧部の条件によって、丁度笛を吹いた場合と同様、共鳴が起こり瞬時に吸気の大部分が共鳴装置全体へ発泡し、水が白濁する。分散した白濁気泡は粒径の揃ったマイクロバブルである。
図４は、図３の減圧共鳴発泡方法を一体的な装置に組み込み、共鳴発泡で粒径の揃ったマイクロバブルを製造後、共鳴装置から送り出される水の供給量より大きな吸引量を有するポンプを用いて真空キャビテーションを行う２重破砕方法である。２重破砕方法で、吐出される水は、多量の気体を含有するが、白濁しない無色透明の水である。
通常、１〜２００μｍのマイクロバブルは、チンダル現象を起こし、光の乱反射が起こるので白濁する。しかし、１μｍ以下のナノサイズのウルトラファインバブルは、粒子が小さ過ぎて光の乱反射が起こらないので白濁しないことが知られている。
３）測定方法：水の流量計、気体の精密流量計、真空計、１リットルメスシリンダーを用いた集気装置で残存気体の回収計測、水の白濁状況の観察等を行った。
試験には毎分３０ｌの水量の水道を用いた。
計測方法は
（１）図２のアスピレターによる剪断破砕を行う際、その水の流量、注入空気の流量、回収される気体量の計測を行った。
（２）図３に示す減圧共鳴破砕を行う際、その水の流量、注入空気の流量、回収される気体量の計測を行った。
（３）同じスケールで図４に示す減圧共鳴破砕と真空キャビテーション破砕を行い、その水の流量、注入空気の流量、回収される気体量の計測を行った。
アスピレーター及び加圧装置は水の状況変化を観察するためガラス製で行った。
４）試験の結果
測定の結果を表１に示した
【表１】
2016215203.tif 000003
結果概要
水道水の流量は、毎分３０リットルであるが、アスピレーターが堰となって、これを通過する場合に毎分１０リットルに低下する。減圧をかけて共鳴させると更に低下し毎分９リットルの流量となる。
剪断破砕を行った場合は、水の流量毎分１０リットルに対し、毎分２リットルの空気の吸入があり、大きな気泡として水系外へ放出される空気量が１．８リットルあり、微細気泡として水に残留する量が、２００ｍｌである。２０〜２５℃で通常の水に含まれる空気量は１．５〜１．８％であるので、気体溶解度（容積比％）は２．５〜３．８％である。この時の噴射部Ａにおける減圧は−０．０１ＭＰａ程度であった。水の白濁状況は半白濁の状況で、微細化粒子にばらつきがあり、マイクロバブル水とするには、循環処理して微細気泡を集積する必要があることが判明した。
共鳴発泡を行う場合は、真空計とニードルバルブを用い、アスピレーターを通過する水へ減圧を加え、アスピレーターから噴出する水へ共鳴装置で加圧を行う。これにより水の流量毎分９リットルに低下する。この噴出流に対し空気の吸入を毎分１リットルに抑え、噴射部Ａにおける減圧を−０．０９ＭＰａにして共鳴させると、液全体が白濁してマイクロバブルが瞬間的に大量発生する。大きな気泡として水系外へ放出される空気量が３００ｍｌ程度であり、微細気泡として水に残留する量が、７００ｍｌである。従って水の微細気泡を含めた気体溶解度（容積比％）は９．２〜９．５％であり、チンダル現象による光散乱が起こって白濁する。
共鳴発泡と真空キャビテーションを行うと、共鳴発泡の行程では、共鳴発泡の装置と同じ結果であるが、真空キャビテーションを加えたことによって、微細気泡が更に微細化して、チンダル現象による光散乱が失われ、無色透明になる。
微細化気泡が１μｍ以下になるとチンダル現象による光散乱がなく、無色透明になることは、既に知られている。
本実施例は、本技術のメカニズムの相違と発生するウルトラファインバブルの相違を明確にする狙いで実施た。実際には大規模にするためには図１に示すように、
１次ポンプ及び２次ポンプを連結するが、２台のポンプの間に共鳴発泡装置を設置して、共鳴発泡して生じたマイクロバブルを２次ポンプの吸引力の差によって生ずる真空キャビテーションによってナノバブルを製造する構造を基本としている。
【００１９】実施例２  空気の空気のウルトラファインバブル発生量とバブルのサイズに関する調査
１）試験の方法
（１）ウルトラファインバブル装置：本発明による真空キャビテーションウルトラファインバブル発生装置．
（２）測定方法：チンダル現象による光散乱法
ウルトラファインバブル水を入れた分析用セル容器に緑色レーザー光を照射し、表２に示す様に光散乱強度を測定した。
本方法により１００ｎｍ以下の大きさのウルトラファインバブル分散量が測定できる。
２）試験の結果
測定の結果を表２に示した。
【表２】
2016215203.tif 000004
2016215203.tif 000005
３）結果概要
ウルトラファインバブル濃度が高くなるに連れて、光散乱量が強くなる。本装置では大量のウルトラファインバブルの生産が確認された。
但し、ウルトラファインバブルのサイズ分布は確認できなかった。
【００２０】実施例３  空気のウルトラファインバブル水の酸化性ラジカル活性について
酸化性ラジカルの量的測定法は、化学的手法では困難であると考えられてきた。
しかし、測定限界の低濃度の酸化性ラジカル吸収剤を用い、化学的手法でも測定できるのではないかと考え、硫酸酸性条件を設定し、ウルトラファインバブル水の酸化性ラジカルをチオ硫酸ナトリウム希薄規定液と反応させ、残余のチオ硫酸ナトリウムを過マンガン酸カリで滴定する方法を検討した。
１）試験の方法
ウルトラファインバブル水の酸化性ラジカル発生瞬間的に発生・消滅するので、反応はチオ硫酸ナトリウム希薄規定液の（１Ｍ／１００００Ｎａ２Ｓ２Ｏ３）を用い、一旦、１０分間ウルトラファインバブル水と反応させ、発生する酸化ラジカルの集積量（ｉｎｔｅｇｒａｔｅｄ  ｒａｄｉｃａｌ）を過マンガン酸カリの規定液で滴定する。その反応としては次の反応式１が挙げられる。
反応式１
2016215203.tif 000006
具体的には、ウルトラファインバブル２０ｍｌをチオ硫酸ナトリウム希薄規定液１０ｍｌと１０分間反応を継続させ、残余のＭ／１００００Ｎａ２Ｓ２Ｏ３を硫酸酸性下で、Ｍ／１０００ＫＭｎＯ４で滴定して、発生した酸化ラジカルの集積量を測定した。
２）試験の結果
試験結果を表３に示した。
【表３】
2016215203.tif 000007
３）結果概要
表３に見られるように、供試ウルトラファインバブル水の酸化性ラジカルはチオ硫酸ナトリウム１分子と当量であり、チオ硫酸ナトリウム分子と過マンガン酸カリ分子の関係も当量であるので、ＫＭｎＯ４消費量の強度の計算は、Ｍ／１０００ＫＭｎＯ４１ｍｌは１μＭのＫＭｎＯ４の消費に相当する。
表３に見られるように、空気のウルトラファインバブル水の酸化性ラジカルのＮａ２Ｓ２Ｏ３の力価消費量は滴定するＭ／１０００ＫＭｎＯ４に換算して測定した。
Ｎａ２Ｓ２Ｏ３によりＫＭｎＯ４消費量の強度の計算はＭ／１０００ＫＭｎＯ４１ｍｌは１μＭのＫＭｎＯ４の消費に相当するが、２分子の水分子に発生するラジカルと２分子のＮａ２Ｓ２Ｏ３が反応し１分子のＮａ２ＳＯ４を生成するので、水分子とチオ硫酸ナトリウム分子が当量の関係に当たる。
計算式＝１μＭ×滴定差÷試料採取量×１０００÷１０分＝１μＭ×０．４０÷２０×１０００÷１０分＝２μＭ／Ｌ／ｍｉｎ
即ち、Ｍ／１０００ＫＭｎＯ４滴定量によるウルトラファインバブルのラジカル発生量は水１Ｌ当たり、１分間に約２μＭの酸化性ラジカルが経時的に生成されることが量的に算定された。
【産業上利用の可能性】
【００２１】  真空キャビテーションは、瞬間的に大量の水へ微細気泡を発生させる機能を有し、水質浄化、環境改善、各種の化学工業へ応用の幅が広い。
例えば、その処理能力は水流ポンプの大きさによって変換し、小型のものは、毎分１０〜２０リットルの処理能力でキャスターを有し、必要な場所へ移動することが可能であるが、環境浄化等大型のものは毎分１〜１０トンまでの必要量に対し対応が可能である。
【図面の簡単な説明】
【００２２】
【図１】共鳴発泡と真空キャビテーションによる空気のウルトラフファインバブル水製造装置図。
【図２】アスピレター送気装置による剪断破砕方法の作業図。
【図３】アスピレター送気装置による減圧共鳴発泡方法の作業図。
【図４】減圧共鳴発泡と真空キャビテーション破砕の２重破砕方法の作業図。
【符号の説明】１    水源
２    吸水パイプ
３    電源ソケット
４    電源リード線
５    １次ポンプ
６    １次ポンプモーター
７    吸気口
８    低圧フローガス流量計
９    共鳴調整ニードルバルブ
１０  共鳴エジェクター
１１  共鳴調整真空計
１２  共鳴発泡装置
１３  １次微細気泡処理水送水パイプ
１４  ２次ポンプ
１５  ２次ポンプモーター
１６  ウルトラファインバブル加圧装置
１７  装置支持フレーム
１８  移動キャスター
１９  空気ウルトラファインバブル水貯留タンク
【図１】
2016215203.tif 000008
【図２】
2016215203.tif 000009
【図３】
2016215203.tif 000010
【図４】
2016215203.tif 000011